Podtech/llm-jp-corpus-v4-ja_patent huggingface dataset:
(57)【要約】【課題】  本考案では、蓋材シートの蓋材シート剥離部と蓋材シート接合部の接合域を増やす事により、錠剤を取り出す際に、蓋材シート剥離部と蓋材シート接合部の分離をしにくくし、蓋材シート剥離部の誤飲を防ぐ事を目的とする。【解決手段】  円形状の錠剤７を収納する、平たい円柱状の収納ポケット部３が備えられたカバーフィルム２と、アルミニウム箔等の積層材で構成された蓋材シート４で構成されたＰＴＰ包装体１において、円形状の錠剤７を収納する平たい円柱状の収納ポケット部３の一部の側面を直線状の側面８とした事を特徴とするＰＴＰ包装体とする。【選択図】図２
2014144806.tif 000002
【特許請求の範囲】
【請求項１】
錠剤を収納する収納ポケット部を形成したカバーフィルムと、蓋材シートから成るＰＴＰ包装体において、前記収納ポケット部の一部の側面を直線状の側面としたことを特徴とするＰＴＰ包装体
【発明の詳細な説明】
【技術分野】
【０００１】  本発明品は、錠剤等を包むＰＴＰ（プレススルーパック）包装体（以下ＰＴＰ包装体）に関し、特にＰＴＰ包装体から錠剤を取り出す際に、剥離する蓋材シートの剥離部分の誤飲を防止することを目的とするＰＴＰ包装体に関する。
【背景技術】
【０００２】  従来のＰＴＰ包装体では、（図３〜４）のように、錠剤７を収納する為の、平たい円柱状の収納ポケット部３が備えられたカバーフィルム２と、アルミニウム箔等の積層材で構成された蓋材シート４で構成されている。【０００３】  更に蓋材シート４は、錠剤７を取り出す際に、剥離される蓋材シート剥離部５と、その際に剥離されない蓋材シート接合部６で構成されている。【０００４】  しかしながら、従来のＰＴＰ包装体では、錠剤７を取り出す際、カバーフィルム２に備えられた収納ポケット部３を、上部から錠剤７ごと押し込み、蓋材シート４から蓋材シート剥離部５を突き破り、錠剤７を取り出す構造となっている為、まれに蓋材シート剥離部５が、蓋材シート接合部６から分離し、分離された蓋材シート剥離部５が、錠剤７の下部に隠れたままになり、それに気づかずに分離された蓋材シート剥離部５を、錠剤７と一緒に誤飲する危険性がある。【０００５】  特に（０００４）の事例は、（図３）の３ｂのように蓋材シート剥離部５と蓋材シート接合部６の接合域が小さい円形状の錠剤７と、小型の収納ポケット部３において起こりやすい。
【発明の開示】
【発明が解決しようとする課題】
【０００６】  本考案では、蓋材シート４の蓋材シート剥離部５と蓋材シート接合部６の接合域を増やす事により、錠剤７を取り出す際に、蓋材シート剥離部５と蓋材シート接合部６の分離をしにくくし、蓋材シート剥離部５の誤飲を防ぐ事を目的とする。
【課題を解決する為の手段】
【解決手段】
【０００７】  円形状の錠剤７を収納する、平たい円柱状の収納ポケット部３が備えられたカバーフィルム２と、アルミニウム箔等の積層材で構成された蓋材シート４で構成されたＰＴＰ包装体１において、円形状の錠剤７を収納する平たい円柱状の収納ポケット部３の一部の側面を直線状の側面８とした事を特徴とするＰＴＰ包装体とする。
【発明の効果】
【０００８】  カバーフィルム２に備えられた収納ポケット部３の一部の側面を直線状の側面８にした事により、円形状の錠剤７を取り出す際に、蓋材シート４の蓋材シート剥離部５と蓋材シート接合部６の接合域が一定の長さを保てる為、蓋材シート剥離部５の剥離された部分が蓋材シート４より分離しにくくなる。
【発明を実地する為の最良の形態】
【実地例】
【０００９】  錠剤７を取り出す際には、（図２）のＰＴＰ包装体１を持ち、カバーフィルム２に備えられている収納ポケット部３の直線状の側面８より反対側から錠剤７ごと押し出し、蓋材シート４から、蓋材シート剥離部５を剥離し、錠剤７を取り出せばよい。
【００１０】  蓋材シート４から剥離される蓋材シート剥離部５は、蓋材シート接合部６と接合域が一定の長さを保てる為、蓋材シート４より分離しにくくなり、安全に錠剤７を飲む事ができる。
【００１１】  収納ポケット部３の一部の側面を直線状にした直線状の側面８の位置は、ＰＴＰ包装体１を平面上から見て、上下左右斜めどちらの方向でも良いとする。
【図面の簡単な説明】
【００１２】
【図１】  ＰＴＰ包装体を示した平面図である。
【図２】  ＰＴＰ包装体を示した側面断面図である。
【図３】  従来のＰＴＰ包装体を示した平面図である。
【図４】  従来のＰＴＰ包装体を示した側面断面図である。
【符号の説明】
【００１３】  １  ＰＴＰ包装体
２  カバーフィルム
３  収納ポケット部
４  蓋材シート
５  蓋材シート剥離部
６  蓋材シート接合部
７  錠剤
８  直線状の側面
【図１】
2014144806.tif 000003
【図２】
2014144806.tif 000004
【図３】
2014144806.tif 000005
【図４】
2014144806.tif 000006
(57)【要約】【課題】    ポリタンクを運ぶとき片手で２つ持てるように、取っ手を上部端に設けたポリタンクを提供する。【解決手段】    ポリタンク上部端（１）と上部端（２）に取っ手を設けたポリタンクを特徴とする。【選択図】図１
2014144807.tif 000002
【特許請求の範囲】
ポリタンクの上部端に取っ手を設けたポリタンク
【発明の詳細な説明】
【技術分野】
【０００１】    この発明は、ポリタンクの取っ手の位置と数に関するものである。
【背景技術】
【０００２】    従来、ポリタンクは片手に１つ持てた。
【先行技術文献】
【特許文献】
【０００３】
【特許文献】
【発明の概要】
【発明が解決しようとする課題】
【０００４】    これは、次のような欠点があった。
従来、ポリタンクを運ぶ時、片手に１つづつしか運べず、多量の場合は何度も移動しなければならなかった。
本発明は、以上のような欠点をなくすためになされたものである。
【課題を解決するための手段】
【０００５】    ポリタンク上部端（１）と上部端（２）に取っ手を設ける。
本発明は以上の構成よりなるポリタンクである。
【発明の効果】
【０００６】    ポリタンク上部端に取っ手が着いているので、２つのポリタンクを片手で持つことができ、運ぶための移動回数が減る。
【図面の簡単な説明】
【０００７】
【図１】    本発明の斜視図である。
【発明を実施するための形態】
【０００８】    以下、本発明を実施するための形態について説明する。
ポリタンク上部二端に取っ手を設ける。
本発明は、以上のような構造である。
これを使用するときは、このポリタンクを２つ並べて上部端に設けた取っ手を片手で持てばよい。
【符号の説明】
【０００９】    １  ポリタンクの取っ手
【図１】
2014144807.tif 000003
(57)【要約】      （修正有）【課題】従来の指示器、非常点滅灯の機器は自動車の前後左右に６箇所〜１０箇所取り付けられているが、少し離れた位置から見ると点と点にみえる為、目立ちにくい。【解決手段】車両の後部面と左右両側面にLEDをテープ状に貼り付ける。【選択図】図２
2014144765.tif 000002
【特許請求の範囲】
【請求項１】
後部面に取り付ける事で点・線・点なので目立ちやすい、追突事故防止に役立つ。
【請求項２】
左側面に取り付けることで点・線・点なので左折時巻き込み事故防止に役立つ。
【発明の詳細な説明】
【技術分野】
【０００１】この発明は自動車交通事故の追突事故と左折時巻き込み事故防止の為の自動車用品です。
【背景技術】
【０００２】従来、指示器と非常点滅灯は点と点で前後左右に取り付けられているが、それらを点と線と点で連結することで、非常に目立つので、第三者に注意を促して事故防止に役立つ。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】人間の視覚は点より線の方がより強く目に焼きつけられて、瞬時に危険を察知して行動に変換される事で、ブレーキングや減速される事で事故防止の効果が見られる。
【課題を解決するための手段】
【０００６】後部面と左側面に非常点滅灯と指示器に連動去れた機器を取り付ける。
【発明の効果】
【０００７】後部面に取り付けられた線状の機器で追突事故防止と左側面に取り付けられた線状の機器で左折時巻き込み事故防止にやくだつ。
【図面の簡単な説明】
【０００８】
【図１】この発明の一実施形態を示す後部図である。
【図２】この発明の一実施形態を示す側面図である。
【図３】この発明の一実施形態を示す福祉車輌の後部面図である。
【図４】黄色のＬＥＤ発光テープライト。
【発明を実施する為の形態】
【０００９】道路運送車輌法で決められた、色のＬＥＤ発光テープライトを両面テープで固定する。
【実施例】
【００１０】福祉車輌等ではバックアップドアーをオープンした時、車椅子の乗降時に非常点滅灯の点灯に依り後続車や自動車や人に注意を促す事で交通事故防止になる。
【産業上の利用可能性】
【００１１】自動車に標準装備も利用可能である。
【符号の説明】
【００１２】１．黄色ＬＥＤ発光テープライト
【図１】
2014144765.tif 000003
【図２】
2014144765.tif 000004
【図３】
2014144765.tif 000005
【図４】
2014144765.tif 000006
(57)【要約】      （修正有）【課題】シガレット形に成形した巻紙の空洞の筒部分に、幾重かに巻いた紙を入れてつぶれにくい様に強度をもたせた、紙素材とフィルターで出来たシガレット形空洞状のくわえる為の喫煙補助具を提供する。【解決手段】シガレット形に成形した巻紙の空洞の筒部分２に、幾重かに巻いた紙３を入れてつぶれにくい様に強度をもたせ、空洞状のままである事を特徴とする。【選択図】図１
2014131535.tif 000002
【特許請求の範囲】
【請求項１】
シガレットたばこの形に成形した巻紙の空洞の筒部分に、幾重かに巻いた紙を入れてつぶれにくい様に強度をもたせた、紙素材とフィルターで出来たシガレット形空洞状のくわえる為の喫煙補助具。
【発明の詳細な説明】
【技術分野】
【０００１】
この発明は、シガレットたばこの形に成形した巻紙の空洞の筒部分に、幾重かに巻いた紙を入れてつぶれにくい様に強度をもたせた、紙素材とフィルターで出来たシガレット形空洞状のくわえる為の喫煙補助具に関する。
【背景技術】
【０００２】
従来の禁煙補助製品として、ガム、飴、シール状のパッチ、電子たばこ、ニコチンやタールをカットするホルダー形のフィルターなどが知られている。
【発明の概要】
【発明が解決しようとする課題】
【０００３】
現在ある禁煙補助品は、ガム、飴、シール状のパッチや、金属やプラスチックで出来たホルダーやたばこ型の品で、本物のたばこをくわえたのと同じ様な感触の紙素材のものがない。
その為、禁煙時にたばこから切り替えた際に、形状や感触の違いによる違和感がある。
【課題を解決するための手段】
【０００４】
くわえる部分にフィルターをつけ、シガレット形に成形した巻紙の空洞筒部分に、幾重かに巻いた紙を入れてつぶれにくい様に強度をもたせる。フィルター部分にアロマエッセンスを浸透させて吸う。
【発明の効果】
【０００５】
フィルターと紙素材の為、たばこをくわえた感触、たばこを手に持った感触と同様であり、視覚的にもタバコと同様の見た目であり、禁煙時の習慣的・心理的依存によるたばこ渇望感、喪失感の軽減に役立てる事ができる。
【０００６】
アロマエッセンスを浸透させて吸うと、たばこをくわえたのと同様な感触とともに、リラックス、リフレッシュする香りで気分転換がはかれる。
【０００７】
紙素材で空洞の製品であり、従ってニコチンもタールもなく安心して使用でき、健康的である。
紙製品の為、安価に提供する事が可能となる。
【図面の簡単な説明】
【０００８】
【図１】斜視図
【図２】正面図
【発明を実施するための形態】
【０００９】
くわえる部分にフィルターをつけ、シガレット形に成形した巻紙の空洞筒部分に、幾重かに巻いた紙を入れてつぶれにくい様に強度をもたせる。
【実施例】
【００１０】
くわえる部分にフィルターをつけ、シガレット形に成形した巻紙の空洞筒部分に、幾重かに巻いた紙を入れてつぶれにくい様に強度をもたせる。そのフィルター部分にアロマエッセンスを浸透させて吸う。
【産業上の利用可能性】
【００１１】
紙素材、空洞の製品であり、従ってニコチン・タールがなく安心して使用する事が出来、健康的である。火も使わないので、その点も安心である。
たばこはニコチン依存以外にも、習慣的・心理的依存があり、本当に禁煙が成功する為にはある程度の長い時間を要するが、たばこと同様な感触を味わえるので口寂しさを減らす事ができ、紙素材で安価に提供可能なのでいつでも気軽に使用できる禁煙補助製品を提供できる。
【符号の説明】
【００１２】
１．フィルター部分
2.外側のチューブ紙
3.中に巻いて入れた紙
【図１】
2014131535.tif 000003
【図２】
2014131535.tif 000004
(57)【要約】【課題】一般的なお掃除方法は、まず掃除機をかけ、その後で掃除用具を使って拭き上げます、その掃除機をセットしたり、引き回してのお掃除後は片付けと、大変で労力を要します。そのため、お掃除する頻度も少なくなってしまいます、そこで、お掃除の頻度を上げる、又、お掃除を簡単に、しかも楽にすることが必要です。【解決手段】掃除機を、固定し、塵埃、ちりを掃除機の方へ持って来るようにすれば、掃除機をセットしたり、後片付けの手間も無くなり楽になります。又、掃除機の置き台兼用にすれば場所も取りません。【選択図】図１
2014131529.tif 000002
【特許請求の範囲】
【請求項１】
掃除機を取り付け、そのモーターの吸引力を活用して、使用することを特徴とする、掃除機用電気ちりとりアダプター
【請求項２】
掃除機の置き台として使用することを特徴とし、本体周囲下部に、内蔵のキャスター、または、角柱にて、床面とに隙間を設け、そこより吸引する、移動式、又は、可動式、掃除機用電気ちりとりアダプター
【発明の詳細な説明】
【技術分野】
【０００１】
本発明は、清掃具により集められた塵埃やごみを吸引する掃除機用集塵アダプターに関する。
【背景技術】
【０００２】
従来の電気ちりとりは、図9に示すように、そのもの本体にモーター、ファンを内蔵し吸引するものである。
【先行技術文献】
【特許文献】
【０００３】
【特許文献１】特開２００３-１５３８３０号
【発明の概要】
【発明が解決しようとする課題】
【０００４】
この発明は、掃除機を活用する、又、掃除を楽にすることを課題とする。
【課題を解決するための手段】
【０００５】
以上の課題を解決するため、掃除機に、発明品を取り付け、それを、掃除機の置き台として活かし、スペースの有効活用を図る。置き台には、4個のキャスターを取り付け自在に移動出来るようにする。本体周囲は、床面から5mm程度の隙間を設け、その隙間より吸引する。4面からの吸引が可能。周囲の隙間の上部は、波状の形態にして、掃除用具の、発明品への吸い込み防止と、吸着を防ぐ。又、本体を固定式にする場合、キャスターの代わりに、4角形の角柱にて本体を支え、床面と、本体周囲下部との間に隙間を作る。
【発明の効果】
【０００６】
掃除機の有効活用と、これまでの、掃除機を引き回してのお掃除から、ちり等を、掃除機の方へ集める方法へと、お掃除方法の変更ができ、お掃除が楽になる。
【図面の簡単な説明】
【０００７】
【図１】正面図
【図２】上面図
【図３】背面図
【図４】底面図
【図５】左側面
【図６】右側面
【図７】掃除機セット実施図
【図８】スタンド式掃除機セット実施図
【図９】従来商品図
【発明を実施するための形態】
【０００８】
この発明の実施形態を、図7に示す。
掃除機を発明品にセットし、底面周囲の隙間より吸い込む。
又、スタンド式掃除機には、図8の形態にして、スタンド式掃除機の吸い込み口と接する部分を開口して、そこより吸引する、開口部の周囲には吸着性を高める為、軟らかいシートを貼る。充電式の場合は、充電端子取り付け用の端子を設ける。
【符号の説明】
【０００９】
1  掃除機用電気ちりとりアダプター本体            
2  掃除機取り付け調整用上下稼動部
3  スイッチ部
4  移動用キャスター
【図１】
2014131529.tif 000003
【図２】
2014131529.tif 000004
【図３】
2014131529.tif 000005
【図４】
2014131529.tif 000006
【図５】
2014131529.tif 000007
【図６】
2014131529.tif 000008
【図７】
2014131529.tif 000009
【図８】
2014131529.tif 000010
【図９】
2014131529.tif 000011
(57)【要約】【課題】この発明は、着席使用時における痔患部が、座り直す度に座布団の凸部に触れ痛むのを防止するために、凸部の位置及び高さをマジックテープにて着脱可能にし、個人のお尻の形、座った姿勢や痔の患部の位置、又痔以外の臀部の疾患に応じた、座り心地をより改善した着脱調整可能な痔用座蒲団を提供する。【解決手段】凸部を８つの手のひらお手玉程度の小座布団に分割し、且つ高さを調整するため大小の２種用意し、マジックテープにて本体の座布団の上に小座布団を円周状に貼り付け着脱可能とする。そして、個人の痔疾患の位置、臀部の形や肉・痔の凹凸、痔の位置及び高さに応じ、マジックテープにて着脱可能にし、個人のお尻の形、座った姿勢や痔の患部の位置、又痔以外のふとももや泌尿器等の疾患等に応じた、座り心地をより改善した着脱調整可能な痔用座蒲団とした。Ｏ字型だけでなくＵ字型やＣ型など、他の形に組んだ座蒲団も可能となった。【選択図】図１
2014131559.tif 000002
【特許請求の範囲】
【請求項１】
凸部を８つの手のひらお手玉程度の小座布団に分割し、且つ高さを調整するため大小の２種用意し、マジックテープにて本体の座布団の上に小座布団を円周状に貼り付け着脱可能とする。そして、個人の痔疾患の位置、臀部の形や肉・痔の凹凸、痔の位置及び高さに応じ、マジックテープにて着脱可能にし、個人のお尻の形、座った姿勢や痔の患部の位置、又痔以外のふとももや泌尿器等の疾患等に応じた、座り心地をより改善した着脱調整可能な痔用座蒲団とした。Ｏ字型だけでなくＵ字型やＣ型など、他の形に組んだ座蒲団も可能となった。
【発明の詳細な説明】
【技術分野】
【０００１】  この発明は、着席使用時における痔患部が、座り直す度に座布団の凸部に触れ痛むのを防止するために、凸部の位置及び高さをマジックテープにて着脱可能にし、個人のお尻の形、座った姿勢や痔の患部の位置、又痔以外の臀部の疾患に応じた、座り心地をより改善した着脱調整可能な痔用座蒲団に関するものである。
【技術背景】
【０００２】  従来の痔用座蒲団は、真ん中に穴の空いたドーナツ型の座布団が一般的であった。
【発明の概要】
【発明が解決しようとする課題】
【０００３】痔患部が触れ痛むのを防止するための座布団の凹部は、座蒲団の真ん中に位置し、その周りの凸部は、高さが均一で、ドーナツ状に周りを円周状に位置した。このため、座り直す、又は臀部の肉と痔との凹凸の違い、また痔の患部そのものの位置のずれ、痔以外のふとももや泌尿器等の疾患の存在等のため、真ん中からずれる又は臀部と座蒲団との凹凸が合わない等で、痛みや不快感などの症状が出て、痔用座蒲団の効能をなさないことがあった。
【課題を解決するための手段】
【０００４】凸部を８つの手のひらお手玉程度の小座布団に分割し、且つ高さを調整するため大小の２種用意し、マジックテープにて本体の座布団の上に小座布団を円周状に貼り付け着脱可能とする。そして、個人の痔疾患の位置、臀部の形や肉・痔の凹凸、痔の位置及び高さに応じ、マジックテープにて着脱可能にし、個人のお尻の形、座った姿勢や痔の患部の位置、又痔以外のふとももや泌尿器等の疾患等に応じた、座り心地をより改善した着脱調整可能な痔用座蒲団とした。Ｏ字型だけでなくＵ字型やＣ型など、他の形に組んだ座蒲団も可能となった。
【発明の効果】
【０００５】従来の真ん中に穴のあいた座蒲団に比べ、凹凸の位置や高さが微妙な調整が可能となり、座り心地や痔の痛さや不快感、その他の疾患の症状が改善した。
【図面の簡単な説明】
【０００６】
【図１】  本発明の本体正面図（Ｏ字形、８個すべて小座布団（大）の場合）及び小座布団（大）及び（小）裏面図である。
【図２】  本発明の斜め見図である。
【図３】  本発明の使用状態を示す断面図である。
【発明を実施するための形態】
【０００７】  以下、本発明の実施の形態について説明する。
（イ）．痔患部が触れ痛むのを防止するための座布団の凹部は、座蒲団の真ん中に位置し、その周りの凸部は、小座布団をマジックテープにて着脱可能とする。そして、高さが大小２種類選択でき、且つ形はＯ字型、Ｕ字型、Ｃ字型と選択可能とした。
【符号の説明】
【０００８】  １  本体
２  小座布団
３  小座布団（大）
４  小座布団（小）
５  マジックテープ
【図１】
2014131559.tif 000003
【図２】
2014131559.tif 000004
【図３】
2014131559.tif 000005
(57)【要約】      （修正有）【課題】従来の人工筋肉は弾性ゴムの管が膨張収縮を繰り返すが、伸縮率が大きいため耐久性に欠ける。又、膨張時には弾性ゴムの管が薄くなるため強度が下がる欠点がある。そこで、弾性ゴムの伸縮率を抑えた耐久性の高い人工筋肉を提供する。【解決手段】繊維で軸方向に補強された弾性ゴムの管を二重にし、形状維持リング２を外側の管１ａの外および内側の管１ｂの内側に設け、内径を太くして伸縮率を下げた二重コルゲート管人工筋肉を特徴とする。【選択図】図１
2014131558.tif 000002
【特許請求の範囲】
【請求項１】
繊維で軸方向に補強された弾性ゴムの管を二重にし、形状維持リング（２）を外側の管（１ａ）の外および内側の管（１ｂ）の内側に設けた人工筋肉であって、外側の管と内側の管の間に流体を注入し加圧することによって作動する人工筋肉。
【請求項２】
請求項１の人工筋肉の両端をフランジ（３）で閉鎖した人工筋肉アクチュエーター。
【発明の詳細な説明】
【技術分野】
【０００１】この発明は管の内圧により管が変形すること利用した人工筋肉に関するものである。
【背景技術】
【０００２】従来の軸方向繊維強化型人工筋肉はゴム管の膨張を利用した人工筋肉である。
【先行技術文献】
【特許文献】
【０００３】
【特許文献１】特開２０１１−１３７５１６号公報
【発明の概要】
【発明が解決しようとする課題】
【０００４】従来の人工筋肉は弾性ゴムの管が膨張収縮を繰り返すが、伸縮率が大きいため耐久性に欠ける。又、膨張時には弾性ゴムの管が薄くなるため強度が下がる欠点がある。
【課題を解決するための手段】
【０００５】繊維で軸方向に補強された弾性ゴムの管を二重にし、形状維持リング（２）を外側の管（１ａ）の外および内側の管（１ｂ）の内側に設ける。外側の管（１ａ）と内側の管（１ｂ）との間に流体を注入し加圧する。加圧により外側の管（１ａ）は外側へ、内側の管（１ｂ）は内側へ変形する。繊維により軸方向ののびが規制されているため管は収縮する。
管の径方向の伸縮率は収縮時の内径を伸張時の内径で割った値に１を引いたものとなる。従来の軸方向繊維強化型人工筋肉では、伸張時の内径を太くすると人工筋肉の収縮率が下がるため内径を太くできない。本発明の内径に当たるのが外側の管（１ａ）と内側の管（１ｂ）の隙間である。この隙間は流体が通過できる幅があればよいので、管の内径にかかわらず一定にできる。このため管の内径を大きくとることができ、伸縮率を抑えられる。本発明の二重コルゲート管人工筋肉は、加圧により管が膨張するのではなく、加圧により管がコルゲート管状に変形することにより収縮する。
【発明の効果】
【０００６】弾性ゴムの伸縮率が抑えられるため耐久性が向上する。弾性率の高い弾性体が使用でき材料選択の幅が広がる。
【図面の簡単な説明】
【０００７】
【図１】本発明の伸張時の断面図である。
【図２】本発明の収縮時の断面図である。
【図３】本発明の収縮時の正面図である。
【発明を実施するための形態】
【０００８】以下、本発明を実施するための形態について説明する。
軸方向に繊維で補強された弾性ゴムの管を二重にし、外側の管（１ａ）と内側の管（１ｂ）の両端をフランジ（３）で閉じ、止め金具（６）で固定する。フランジには注入口（４）および排出口（５）を設けておく。外側の管（１ａ）の外および内側の管（１ｂ）の内側に形状固定リング（２）を設ける。本発明は以上のような構造の人工筋肉である。
両端のフランジに張力をかけると人工筋肉は伸張する。図１は人工筋肉の伸張時の断面図である。人工筋肉を収縮するには、注入口（４）から外側の管（１ａ）と内側の管（１ｂ）との間に流体を注入し加圧する。加圧により外側の管（１ａ）は外側へ、内側の管（１ｂ）は内側へ変形する。繊維により軸方向ののびが規制されているため人工筋肉は収縮する。図２は収縮時の人工筋肉の断面図である。人工筋肉を伸張するには，排出口（５）より流体を排出し減圧する。管の変形が戻り人工筋肉は伸張する。
【符号の説明】
【０００９】１ａ  外側の管
１ｂ  内側の管
２    形状固定リング
３    フランジ
４    注入口
５    排出口
６    止め金具
【図１】
2014131558.tif 000003
【図２】
2014131558.tif 000004
【図３】
2014131558.tif 000005
(57)【要約】【課題】座席や椅子などに人が腰掛けるとき、太ももが左右に開いてしまわないよう、常に力を込めて閉じていなければならなかった。本発明は、太ももを閉じている力を緩めても、太ももが左右に開いてしまうことを防止できる、太もも開き防止具を提供する。【手段】中央付近は直線の面状あるいは棒状に形成されたブリッジの両側が、人体の左右の太ももの外周の形に合わせて円弧状に形成され、その両端部内側に滑り止めを設ける。【選択図】図１
2014131557.tif 000002
【特許請求の範囲】
【請求項１】
中央付近は直線の面状あるいは棒状に形成されたブリッジ（１）の両側が、人体の左右の太ももの外周の形に合わせて円弧状（２）に形成され、その両端部内側に滑り止め（３）を設けた太もも開き防止具。
【請求項２】
ブリッジ（１）の両側の円弧状（２）の両端部外側にクッション（６）を設けた請求項１の太もも開き防止具。
【請求項３】
ブリッジ（１）を中央から二つに分割し、ヒンジ（７）で接合する構造とすることで中央から折りたたむことができる請求項１の太もも開き防止具。
【発明の詳細な説明】
【技術分野】
【０００１】  本発明は、電車内などの公共機関の座席、公園などの公共施設のベンチ、オフィス内などの椅子に腰掛けた人が、太ももを閉じている力を緩めても、太ももが左右に開いてしまうことを防止できる、太もも開き防止具に関するものである。
【背景技術】
【０００２】  従来、電車内などの公共機関の座席、公園などの公共施設のベンチ、オフィス内などの椅子に人が腰掛けたとき、太ももが左右に開いてしまわないよう、常に力を込めて閉じていなければならなかった。特にスカートを穿いた女性においては、太ももが左右に開いてしまわないよう常に緊張を強いられ、リラックスして腰掛けることができなかった。
このことを防止する先行技術として、太ももをバンドで括りつける（例えば、特許文献１、２、３参照）、鞄の両側面に設けられた回転式プレートに両足を挟み込む（例えば、特許文献４参照）、鞄の底面に設けられた凹みに両足を挟み込む（例えば、特許文献５参照）などの出願例がある。
【先行技術文献】
【特許文献】
【０００３】
【特許文献１】特許公開２０００−１９９１１４号
【特許文献２】登録実用新案第３０７０１５４号
【特許文献３】登録実用新案第３１０４５００号
【特許文献４】実用新案公開平０７−０２７３２７号
【特許文献５】登録実用新案第３０７２０４６号
【発明の概要】
【発明が解決しようとする課題】
【０００４】  以上に述べた、太ももを閉じている力を緩めた際に、太ももが左右に開いてしまうことの防止を図るにあたり、次のような方法が課題となる。
（イ）、太ももをバンドで括るなどの拘束をしない方法。
（ロ）、鞄などに機能を付加する方法ではなく、単独で機能を有する方法。
（ハ）、太ももの上から簡単に装着でき、簡単に取り外すことができる方法。
（二）、装着後に太ももの上部の空間を確保でき、手荷物やノートパソコンなどを乗せることができる方法。
本発明は、これらの課題を解決するためになされたものである。
【課題を解決するための手段】
【０００５】  中央付近は直線の面状あるいは棒状に形成されたブリッジ（１）の両側が、人体の左右の太ももの外周の形に合わせて円弧状（２）に形成され、その両端部内側に滑り止め（３）を設ける。
以上の構成によりなる太もも開き防止具。
【発明の効果】
【０００６】  本発明の使用者は、座席などに座って太ももを閉じ、本発明を太ももの上から被せるように装着する。これにより、太ももを閉じている力を緩めても、両端部内側の滑り止めが太ももの外側に接触し、太ももが左右に開いてしまうことを防止することができる。なお、この滑り止めは、本発明と太ももとが接することによる使用者の違和感を軽減するとともに、使用中のずれを防止する機能がある。なお、本発明の使用を止める時は、本発明を持ち上げることで簡単に取り外すことができる。
また、本発明の使用中であっても、太ももの上部の空間を確保できるので、その上に手荷物やノートパソコンなどを乗せることができる。この時、ブリッジの上面と手荷物などの底面とが接し、かつ本発明の効果によって太ももは常に閉じられているため、手荷物などをより安定的に乗せ続けることができる。
また、本発明の両端部外側にクッションを装着することができる。これにより、本発明の使用者の隣に座っている他人の太ももと本発明とが接触した場合において、その違和感を軽減することができる。
また、本発明のブリッジを中央から二つに分割し、ヒンジで接合する構造とすることができる。これにより、本発明を中央から折りたたむことができ、コンパクトに持ち運ぶことができる。
【図面の簡単な説明】
【０００７】
【図１】本発明の太もも開き防止具の斜視図
【図２】本発明を太ももに装着した状態を示す斜視図
【図３】本発明を太ももに装着し、ノートパソコンを乗せた状態を示す斜視図
【図４】本発明の両端部外側にクッションを装着した状態を示す斜視図
【図５】本発明を折りたたんだ状態を示す斜視図
【発明を実施するための形態】
【０００８】  以下、本発明の実施の形態を図１〜図５に基づいて説明する。
【０００９】  図１においては、中央付近は直線の面状あるいは棒状に形成されたブリッジ（１）の両側が、人体の左右の太ももの外周の形に合わせて円弧状（２）に形成され、その両端部内側に滑り止め（３）を設ける。
【００１０】  図２においては、ブリッジ（１）を左右の太もも（４）の上から被せるとともに円弧状（２）が左右の太もも（４）の外周に密着し、その両端部内側の滑り止め（３）を伴って装着される。
【００１１】  図３においては、太もも（４）に装着したブリッジ（１）の上にノートパソコン（５）を乗せる。
【００１２】  図４においては、ブリッジ（１）の両側の円弧状（２）の両端部外側にクッション（６）を設ける。
【００１３】  図５においては、ブリッジ（１）を中央から二つに分割し、ヒンジ（７）で接合する構造とすることで中央から折りたたむ。
【産業上の利用可能性】
【符号の説明】
【００１４】１  ブリッジ
２  円弧状
３  滑り止め
４  太もも
５  ノートパソコン
６  クッション
７  ヒンジ
【図１】
2014131557.tif 000003
【図２】
2014131557.tif 000004
【図３】
2014131557.tif 000005
【図４】
2014131557.tif 000006
【図５】
2014131557.tif 000007
(57)【要約】【課題】従来傘をさす場合手がふさがれ不便であり危険でもあった。【解決の手段】胸の形状をした胸当て体と前方に傘を保持する中棒収納部、手元収納体を設け胸当て体上部および側部に貫通孔を設け、一体となった首掛け、胸巻き、背巻きのベルトで緊締し、締結することにより傘保持具で傘を固定することができる【選択図】図４
2014131560.tif 000002
【特許請求の範囲】
【請求項１】
身体の胸部形状に倣った胸当て体と胸当て体前方垂直方向に傘保持部を取り付けたことを特徴とする傘保持具。
【請求項２】
胸当て体上部に貫通孔を設け首掛けベルトを取り付け胸当て側部に貫通孔を設け体に巻きつけるベルトを取り付けることを特徴とする請求項１記載の傘保持具。
【発明の詳細な説明】
【技術分野】
【０００１】本発明は手を使用することなく傘が使用できる傘保持具に関する。
【背景技術】
【０００２】従来傘を使用する時には両手がふさがれ不便であった。
【発明の開示】
【発明が解決しようとする課題】
【０００３】以上に述べたように従来の方法では両手がふさがれ、不便であり危険でもあった。【０００４】本発明はこのような従来の方法が有していた問題を解決しようとするものであり傘使用時、両手を使え人体に密着させることを目的とするものである。
【課題を解決するための手段】
【０００５】そして、本発明は上記目的を達成するために胸当て体と胸当て前方垂直方向に中棒収納部胸当て体下部に手元収納体を設け胸当て体上部および側部にベルト貫通孔を設け、一体となった首掛けと胸巻きを貫通させ連動するものである【０００６】上記の課題解決手段による作用は次のとおりである。両手を使えるために胸当て体の中棒収納部および手元収納部に傘を収納し、首掛け、胸巻きにより人体に締着させることにより両手が使用できる。
【発明の効果】
【０００７】上述したように本発明の傘保持具は両手が使用でき人体密着性の高い、傘保持具を提供できる。
【発明の実施するための最良の形態】
【０００８】以下、本発明の実施の形態を図１〜図５に基づいて説明する。
【０００９】図において１は胸当て体で厚みのある胸当て丘１ａ  中棒収納部１ｂ、収納扉１ｃ、手元収納体１ｄ  ベルト固定部１ｅで形成されている。
【００１０】２は貫通筒で上孔２ａにより首掛け３ａを貫通させ側孔２ｂにより背巻き３ｃを貫通させる
【００１１】首掛け３ａと胸巻き３ｂ、および背巻き３ｃは一体となっており、２本の筒を交差し形成されて結束体４で結束される。
【００１２】以下、上記構成の動作を説明する。首掛け３ａを首にかけ胸当て１を胸部に当て結束体４を背中に位置させ胸巻き３ｂを胸当て丘１ａ頂上で緊締させるとベルト固定部１ｅで固定され一体となった首掛け３ａと背巻き３ｃが連動し人体に締着される。あらかじめ傘５の中棒５ａと手元５ｂを中棒収納部１ｂ、手元収納体１ｄに収納させ収納扉１ｃを閉じ、胸巻き３ｂ端部の締結体３ｄで締結させると傘５も固定される、又図３は可動式保持体６で中棒５ａを挟持部６ａで挟み、十分に長いアーム６ｃに設けられた可動ピン６ｂで可動する方式である。
胸当て体１はすべり止め材を使用しても良い。
【図面の簡単な説明】
【００１３】
【図１】本発明の実施形態を示す傘保持具の背面図
【図２】同傘保持具の前面図
【図３】同傘保持具可動式図
【図４】同傘保持具前面装着図
【図５】同傘保持具後方装着図
【符号の説明】
【００１３】１    胸当て体
１ａ  胸当て丘
１ｂ  中棒収納部
１ｃ  収納扉
１ｄ  手元収納体
１ｅ  ベルト固定部
２    貫通筒
２ａ  上孔
２ｂ  側孔
３ａ  首掛け
３ｂ  胸巻き
３ｃ  背巻き
４    結束体
５    傘
５ａ  中棒
５ｂ  手元
６    可動式保持体
６ａ  挟持部
６ｂ  可動ピン
６ｃ  アーム
【図１】
2014131560.tif 000003
【図２】
2014131560.tif 000004
【図３】
2014131560.tif 000005
【図４】
2014131560.tif 000006
【図５】
2014131560.tif 000007
(57)【要約】      （修正有）【課題】女性の足元を美しく演出するためである。また夜道の一人歩きの際、痴漢などから避けるためである。さらに、足のにおいを消すためである。【解決手段】女性向けハイヒールおよびブーツのかかとに電磁誘導装置を取り付け、靴のモーメントを利用して発電する。その電気をＬＥＤ６とヒータ４の熱に変換した。ＬＥＤ６には複数カットされたダイヤのようなガラスをつけ、足元に服飾。ハイヒールおよびブーツにヒータ４をつけてフレグランスを発生。デオドラント効果を実施。【選択図】図２
2014131556.tif 000002
【特許請求の範囲】
【請求項１】
１、女性用のハイヒール・ブーツにて踵の部分の直線状に電磁誘導装置を内蔵した点。
２、ＬＥＤ６とガラス１０を靴の表面にとりつけたこと。
３、ヒーター４を内蔵してフレグランスシート８から香気を発生させる点。
４、１，２，３、を組み合わせて設けたこと。
【発明の詳細な説明】
【技術分野】
【０００１】女性向けハイヒールおよびブーツのかかとに電磁誘導装置を取り付け、靴のモーメントを利用して発電する。その電気をＬＥＤと熱に変換する。
【背景技術】
【０００２】従来の技術は別々に存在していた。
【先行技術文献】
【０００３】
【特許文献１】
【非特許文献１】
【発明の概要】
【発明が解決しようとする課題】
【０００４】１、  女性の足元を美しく演出したい。また夜道の一人歩きの際、痴漢などから避けたい。
２、  足の裏のにおいを清潔に保ちたい。
【課題を解決するための手段】
【０００５】女性向けハイヒールおよびブーツのかかとに電磁誘導装置を取り付け、ハイヒールおよびブーツのモーメントを利用して発電する。その電気をＬＥＤ６と熱に換する。
ＬＥＤ６には複数カットされたダイヤのようなガラス１０をつけ、足元に服飾。
ヒータ４をハイヒールにつけて電気の熱でフレグランスシート８発生させて足元から香りを提供する。
【発明の効果】
【０００６】電源なしで電気を発生できＬＥＤ６を付けることにより足元が華麗に演出される。夜道も安心して歩ける。また、フレグランスシート８から香気をだすことにより足裏の清潔が保てる。
【図面の簡単な説明】
【０００７】
【図１】  本発明の斜視図である
【図２】  本発明の端面図である
【発明を実施するための形態】
【０００８】女性向けハイヒールおよびブーツのかかとの直線上に電磁誘導装置、これはコイル３を巻いたものを取り付け、同時に円柱磁石２をシャフト１に通して摺動可能にする。磁石２は、Ｎ極、Ｓ極が上下に存在する。靴のモーメントを利用して磁石２  が上下にコイル３内を移動して電磁誘導にて発電する。その電気をＬＥＤ６の光とヒータ４で熱に変換する。
フォトカプラ５によって暗くなるとＬＥＤ６が点灯。ＬＥＤ６には複数反射率の違うガラス面を保有したクリスタルガラス１０をつけ、足元に服飾する。
ガラス１０のカット面は反射率がちがうため七色に輝く。女性の足元を華麗に演出。また、ハイヒール底板にヒータ４を取り付け、香りの液体を湿らせたフレグランスシート８が気化して靴の底であしもとを香気がただよい、デオドラント効果がある。スイッチ９にてフレグランスの作動を外部から制御できる。発熱があるため夏場はＯＦＦにするためである。
さらに靴には基盤７がついており、発熱制御安全装置の役割と指定時刻にＬＥＤ６を光らせることができる。コンデンサなども基盤７にあり発電した電気をためておくことができる。
【符号の説明】
【０００９】  １シャフト
２磁石
３コイル（ニクロム線）
４ヒータ
５ホトカプラ
６ＬＥＤ
７基盤
８フレグランスシート
９フレグランスＯＮ，ＯＦスイッチ
１０ガラス
【図１】
2014131556.tif 000003
【図２】
2014131556.tif 000004
(57)【要約】【目的】この発明は、力の弱い女性や高齢者でも小さな力で簡単にボルトやナットを外すことが出来る倍力アダプターに関するものである。【構成】ボルトに掛けたレンチの反対側にアダプターを取り付けもう１本レンチを取り付けることでレンチの長さが長くなり小さな力でボルトやナットを回すことの出来る工具。【選択図】図４
2014131826.tif 000002
【特許請求の範囲】
【請求項１】
取り外すボルトと反対側のレンチ又はスパナに取り付けもう１本のレンチを取り付け小さな力でボルト等を回すことの出来る構造を有する工具。
【請求項２】
複数のレンチサイズに使用できるように複数のサイズを有する工具。
【請求項３】
レンチが外れないようにストッパー及びストッパーリングを使用しレンチが不用意に外れない構造を有する工具。
【発明の詳細な説明】
【技術分野】
【０００１】  本発明は、堅く締まったボルトナットを小さな力で簡単に外したり、小さな力でボルトを締め付けることの出来る倍力アダプターに関するものである。
【背景技術】
【０００２】  従来の技術では堅く締め付けられたボルトやナットを外す場合、体重を掛けて回したり勢いをつけて回すしかなかった狭い場所では勢いあまり手がすべり怪我をすることもあり非常に危険であった。
【発明の概要】
【発明が解決しようとする課題】
【０００３】  しかしながら、従来の方法では、体重を掛けて回すか勢いをつけて回すことしか出来なかったため怪我をすることもあり又パイプやヤトイ等を使用し、てこの原理でナットを緩める方法もあるがパイプは重いうえに大きいため持ち歩くには非常に不便である、通常の場合パイプやヤトイ等は普段使用する場合は常に持ち歩いたりするがあまり使用せずにまれに使用する場合は加工しなければならないため手間も時間もかかってしまう、本発明はこのような従来の方法の有する問題を解決することを課題とする。
【課題を解決するための手段】
【０００４】  本発明の使用実施例を図２に表す、外したいボルトまたはナットにレンチスパナを掛けのナット掛けの部分に本発明の倍力アダプターを取り付け次に倍力アダプターに使用していないレンチまたはスパナを取り付けることでナットを回す支点の距離が通常のレンチの倍の距離になりレンチへ掛ける力が通常のおよそ半分になる、そのため力の弱い女性や高齢者でも硬く占められていたボルトやナットも簡単に外したり締め付けることが出来る、自動車修理工場ではよくインパクトレンチを使用するが通常の力では緩めたり出来ない位家宅締め付けられていることが多い、そのため個人で自動車等の修理をしたいと思っても思うように出来ないことが多々ある、本発明の倍力アダプターはそのような問題を解決しかつ安全に作業を行うことが出来る。
【発明の効果】
【０００５】  本発明のアダプターを使用してボルトやナットを小さな力で外したり締めたりすることが出来るため、女性や高齢者でも大きな力を必要とせず小さな力で安全かつ簡単にナットやボルトを外したり閉めたりすることが出来る、又アダプター自体小さな工具として工具箱の隅に用意しておくことが出来るため必要なときに工具箱から取り出しいつでも簡単に使用できる、またアダプターのナットサイズを複数の組み合わせにすることで使用したいレンチのサイズが替わっても１個のアダプターを使用し違うサイズの延長用レンチを組み合わせることできる、１組の組スパナや組レンチがあれば同じサイズのレンチを用意する必要が無いため手持ちの工具で簡単に作業が出来る。
【図面の簡単な説明】
【０００６】
【図１】本発明の倍力アダプターの平面図である。
【図２】本発明の倍力アダプターの側面図である。
【図３】本発明の倍力アダプターをレンチに使用した平面図である。
【図４】本発明の倍力アダプターをレンチに使用した側面図である。
【図５】本発明の倍力アダプターにはずれ止めストッパーリングおよびはずれ止めストッパーを組み合わせた側面図である。
【図６】本発明の倍力アダプターにレンチを使用しはずれ止めストッパーリングおよびはずれ止めストッパーを使用した側面図である。
【図７】本発明の倍力アダプターと六角棒レンチを組み合わせた側面図である。
【符号の説明】
【００７】１は本発明の倍力アダプター
２はボルト及びナット
３はメガネレンチ１
４はメガネレンチ２
５はレンチストッパー１
６はレンチストッパー２
７はストッパーリング１
８はストッパーリング２
９はストッパーリング３
１０は六角棒レンチ
【図１】
2014131826.tif 000003
【図２】
2014131826.tif 000004
【図３】
2014131826.tif 000005
【図４】
2014131826.tif 000006
【図５】
2014131826.tif 000007
【図６】
2014131826.tif 000008
【図７】
2014131826.tif 000009
(57)【要約】【課題】この発明は、複数の筆記用具使用時に、複数の筆記用具を挟む、フックにて縦横、Ａ４からＡ３、領収書サイズまでクリップボードに付けることが可能で、且つ軽く、落下しても破損せず、且つある程度の太さの複数の筆記用具を留め置く針金式ハンガーを提供する。【解決手段】複数の筆記用具使用時に、複数の筆記用具を挟む、フックにて縦横、Ａ４からＡ３、領収書サイズまでクリップボードに付けることが可能で、且つ軽く、落下しても破損せず、且つある程度の太さの複数の筆記用具を留め置く針金式ハンガーを作成した。針金であり、金属くずとして再利用も可能であり、環境負荷低減にも貢献する。以上を特徴とする。【選択図】図１
2014131861.tif 000002
【特許請求の範囲】
【請求項１】
複数の筆記用具使用時に、複数の筆記用具を挟む、フックにて縦横、Ａ４からＡ３、領収書サイズまでクリップボードに付けることが可能で、且つ軽く、落下しても破損せず、且つある程度の太さの複数の筆記用具を留め置く針金式ハンガーを作成した。針金であり、金属くずとして再利用も可能であり、環境負荷低減にも貢献する。
【発明の詳細な説明】
【技術分野】
【０００１】  この発明は、クリップボード上の筆記用具使用時における落下を防止する器具に関するものである。
【技術背景】
【０００２】    従来は、クリップボード上の筆記用具使用時における落下を防止する器具は、クリップボードの右上に、横向きにプラスチック製等で１本の筆記用具を挟める器具が備え付けているか或いは全くないかどちらかであった。
【発明の概要】
【発明が解決しようとする課題】
【０００３】クリップボードで筆記用具使用時、筆記行為を止め筆記用具を留め置く場合、備え付けの右上のプラスチック製の挟める器具に挟めて止めるか或いは全くないかのどちらかであった。備え付けの器具は１本であり、またその挟める太さはシャーペン程度の通常の筆記用具の太さを挟める機能をもつのが一般的であり、あまり太すぎる筆記用具を弾力に富んで挟み込む程度の機能はなかった。そのため、備え付けの挟める器具がない場合は、クリップボード上に借置くか、或いは手に握るか、又はポケットなど衣服などにしまうかだが、借置いた場合落下することがあり、また手に握るなどはクリップボードと筆記用具を保持することで両手がふさがる、ポケットなど衣服にしまうは転んだ時人体を傷つける恐れがあった。そして、複数の筆記用具使用時には、すべてを挟む器具を備え付けるクリップボードは皆無であった。
【課題を解決するための手段】
【０００４】複数の筆記用具使用時に、複数の筆記用具を挟む、フックにて縦横、Ａ４からＡ３、領収書サイズまでクリップボードに付けることが可能で、且つ軽く、落下しても破損せず、且つある程度の太さの複数の筆記用具を留め置く針金式ハンガーを作成した。針金であり、金属くずとして再利用も可能であり、環境負荷低減にも貢献する。
【発明の効果】
【０００５】複数の筆記用具が、クリップボード上に留め置くことが可能となった。軽いためクリップボードをもつ手に重量感を与えず、クリップボードごと落としても破損せず且つ針金をトグロ上に巻くため、ある程度の太さの筆記用具に対応可能である。針金製だから、大きさ、筆記用具の太さ、筆記用具の個数など増設、伸縮自在である。
【図面の簡単な説明】
【０００６】
【図１】  本発明の正面図である。
【図２】  本発明の使用状態を示す断面図である。
【発明を実施するための形態】
【０００７】  以下、本発明の実施の形態について説明する。
（イ）クリップボード状にフック部を掛ける。
（ロ）筆記用具保持部に筆記用具を挿入する。
【符号の説明】
【０００８】  １  フック部
２  筆記用具保持部
【図１】
2014131861.tif 000003
【図２】
2014131861.tif 000004
(57)【要約】【課題】この発明にて、大量の書籍、或いは職場のＧファイル類などを両手・両腕よりも大量に運搬・移動できるシャベル状の本整理・運搬用器具を提供する。【解決手段】大量の書籍、或いは職場のＧファイル類などを両手・両腕よりも大量に運搬・移動が可能となった。運搬・移動しようとする書籍、或いはＧファイルの大きさ・重さに応じ、包丁用のねじ止め式の取っ手を付けて、又は取っ手を外し直接手で持って、シャベルのように書棚に入れシャベルのように書籍を書き出し、そしてキャリヤーの棚に乗せることが可能となった。直接手で持つ際、滑りずらく且つ保持しやすいように、指を入れる切れ込みを本体に設けた。本体は、透明アクリル樹脂とし、運搬の際、書籍背表紙下部の整理番号などが隠れて見えないことのないよう、透明とした。このため、広辞苑や百科事典、Ｇファイル８ｃｍなどの重い書籍類と、文庫本、Ｇファイル３ｃｍなどの軽い書籍類とで、取っ手をつけ運搬・移動するか、直接手で保持して運搬・移動するか選択できる。【選択図】図１
2014131862.tif 000002
【特許請求の範囲】
【請求項１】
大量の書籍、或いは職場のＧファイル類などを両手・両腕よりも大量に運搬・移動が可能となった。運搬・移動しようとする書籍、或いはＧファイルの大きさ・重さに応じ、包丁用のねじ止め式の取っ手を付けて、又は取っ手を外し直接手で持って、シャベルのように書棚に入れシャベルのように書籍を書き出し、そしてキャリヤーの棚に乗せることが可能となった。直接手で持つ際、滑りずらく且つ保持しやすいように、指を入れる切れ込みを本体に設けた。本体は、透明アクリル樹脂とし、運搬の際、書籍背表紙下部の整理番号などが隠れて見えないことのないよう、透明とした。このため、広辞苑や百科事典、Ｇファイル８ｃｍなどの重い書籍類と、文庫本、Ｇファイル３ｃｍなどの軽い書籍類とで、取っ手をつけ運搬・移動するか、直接手で保持して運搬・移動するか選択できる。
【発明の詳細な説明】
【技術分野】
【０００１】  この発明は、本整理・運搬用器具に関するものである。
【技術背景】
【０００２】  従来は、本整理・運搬用器具は、書棚から書籍運搬用キャリヤーまで軍手をはめ手作業で書棚からキャリヤーまで運ぶ以外特定の器具はなかった。
【発明の概要】
【発明が解決しようとする課題】
【０００３】書棚から書籍運搬用キャリヤーまで軍手をはめ手作業で書棚からキャリヤーまで運ぶ場合、両腕・両手に抱えることができる量・幅の書棚の書籍しか運搬・移動はできなかった。これを、ちょうど雪かきの際手作業での除雪よりスコップやシャベルでの除雪の方が除雪できる雪の量が大量であるがごとく、書籍を運搬・移動する場合も、シャベルで除雪でなく「除本」でききるシャベル上の物があれば、より大量の書籍を運搬・移動できる。そして、そのような器具は皆無であった。
【課題を解決するための手段】
【０００４】大量の書籍、或いは職場のＧファイル類などを両手・両腕よりも大量に運搬・移動できるシャベル状のものとして、ちりとり状の器具に着脱可能な取っ手を用意した。運搬・移動しようとする書籍、或いはＧファイルの大きさ・重さに応じ、取っ手を付けて、又は取っ手を外し直接手で持って、シャベルのように書棚に入れシャベルのように書籍を書き出し、そしてキャリヤーの棚に乗せる器具を作成した。直接手で持つ際、滑りづらく且つ保持しやすいように、指を入れる切れ込みを本体に設けた。これは、軍手での作業で滑りづらくならない工夫とした。本体は、透明アクリル樹脂とし、整理番号を見ながらの運搬の作業の際、書籍背表紙下部の整理番号などが隠れて見えないことのないよう、透明とした。
【発明の効果】
【０００５】大量の書籍、或いは職場のＧファイル類などを両手・両腕よりも大量に運搬・移動が可能となった。運搬・移動しようとする書籍、或いはＧファイルの大きさ・重さに応じ、包丁用のねじ止め式の取っ手を付けて、又は取っ手を外し直接手で持って、シャベルのように書棚に入れシャベルのように書籍を書き出し、そしてキャリヤーの棚に乗せることが可能となった。直接手で持つ際、滑りずらく且つ保持しやすいように、指を入れる切れ込みを本体に設けた。本体は、透明アクリル樹脂とし、運搬の際、書籍背表紙下部の整理番号などが隠れて見えないことのないよう、透明とした。このため、広辞苑や百科事典、Ｇファイル８ｃｍなどの重い書籍類と、文庫本、Ｇファイル３ｃｍなどの軽い書籍類とで、取っ手をつけ運搬・移動するか、直接手で保持して運搬・移動するか選択できる。
【図面の簡単な説明】
【０００６】
【図１】本発明の正面図である。
【図２】本発明の使用状態を示す断面図である。
【発明を実施するための形態】
【０００７】以下、本発明の実施の形態について説明する。
（イ）本体に書籍又はＧファイルを乗せ、運搬・移動する。
（ロ）取っ手は、書籍又はＧファイルの重量に応じ、着脱し、直接手で保持して書籍又はＧファイルを本体に乗せ、運搬・移動する。
【符号の説明】
【０００８】  １  取っ手
２  本体
３  ネジ
【図１】
2014131862.tif 000003
【図２】
2014131862.tif 000004